(57)【要約】【課題】Ｗ−ＣＤＭＡ無線システムにおいて、ＳｔａｎｄＡｌｏｎｅ−ＤＣＣＨを使用して通信を行っている際に、通信状況の変化に応じて適確な送信電力制御を行うこと。【解決手段】Ｗ−ＣＤＭＡ無線システム１は、共通チャネルの受信品質を測定し、ＳｔａｎｄＡｌｏｎｅ−ＤＣＣＨ状態となった場合に、共通チャネルの受信品質に応じて目標ＳＩＲを決定する共通チャネル対応送信電力制御を行う。したがって、ブラインドトランスポートフォーマット検出が用いられているＳｔａｎｄＡｌｏｎｅ−ＤＣＣＨ状態においても、移動端末２０の受信状況に合わせた目標ＳＩＲを設定することができ、通信状況の変化に応じて適確な送信電力制御を行うことが可能となる。【選択図】図２
2008172764.tif 000002
【特許請求の範囲】
【請求項１】
所定の通信可能領域を有する基地局と、該通信可能領域に属している場合に前記基地局と通信を行う移動端末とを含み、前記基地局と前記移動端末とは、複数の移動端末に共通して使用される共通チャネルと、移動端末毎に個別に設定される個別チャネルとによって通信を行い、前記移動端末は、個別チャネルにおけるデータ転送チャネルの受信品質に基づいて前記基地局における送信電力を変更させる送信電力制御を行う移動体通信システムであって、
前記移動端末は、前記共通チャネルのうち所定符号が連続送信されるチャネルの受信品質を測定する共通チャネル受信品質測定手段と、
個別チャネルにおけるデータ転送チャネルが設定されておらず、個別チャネルにおける制御チャネルでのみ制御情報が送受信されているスタンドアローン通信状態であるか否かを検出するスタンドアローン状態検出手段と、
前記スタンドアローン状態検出手段によって前記スタンドアローン通信状態が検出されている場合に、前記共通チャネル受信品質測定手段によって測定された共通チャネルの受信品質に基づいて、前記基地局における送信電力を変更させる共通チャネル対応送信電力制御を行うスタンドアローン時送信電力制御手段とを備え、
前記基地局は、前記移動端末によって行われる送信電力制御に応じて、該移動端末に対する個別チャネルの送信電力を変更することを特徴とする移動体通信システム。
【請求項２】
前記スタンドアローン状態検出手段は、無線リソース制御が確立した状態であって、無線ベアラが確立されていない場合に、前記スタンドアローン通信状態を検出することを特徴とする請求項１記載の移動体通信システム。
【請求項３】
前記共通チャネル受信品質測定手段は、前記共通チャネルとして共通パイロットチャネルの受信品質を測定することを特徴とする請求項１または２記載の移動体通信システム。
【請求項４】
前記共通チャネル受信品質測定手段は、前記共通チャネルの受信品質として、受信ＲＳＣＰを測定することを特徴とする請求項１から３のいずれか1項に記載の移動体通信システム。
【請求項５】
前記共通チャネル受信品質測定手段は、前記共通チャネルの受信品質として、受信Ｅｃ／Ｎ０を測定することを特徴とする請求項１から３のいずれか１項に記載の移動体通信システム。
【請求項６】
前記共通チャネル受信品質測定手段は、前記共通チャネルの受信品質として、受信誤り率を測定することを特徴とする請求項１から３のいずれか１項に記載の移動体通信システム。
【請求項７】
前記共通チャネル受信品質測定手段は、前記共通チャネルの受信品質として、受信ＳＩＲを測定することを特徴とする請求項１から３のいずれか１項に記載の移動体通信システム。
【請求項８】
前記スタンドアローン通信状態が検出された際の前記共通チャネル受信品質測定手段による測定結果を記憶する共通チャネル受信品質記憶手段をさらに備え、
前記スタンドアローン時送信電力制御手段は、共通チャネル受信品質記憶手段によって記憶されている測定結果と、前記共通チャネル受信品質測定手段が以後に測定する測定結果とを比較し、その比較結果に基づいて、送信電力制御を行うことを特徴とする請求項１から７のいずれか１項に記載の移動体通信システム。
【請求項９】
所定の通信可能領域を有する基地局と、該通信可能領域に属している場合に前記基地局と通信を行う移動端末とを含み、前記基地局と前記移動端末とは、複数の移動端末に共通して使用される共通チャネルと、移動端末毎に個別に設定される個別チャネルとによって通信を行い、前記移動端末は、個別チャネルにおけるデータ転送チャネルの受信品質に基づいて前記基地局における送信電力を変更させる送信電力制御を行う移動体通信システムにおける移動端末であって、
前記共通チャネルのうち所定符号が連続送信されるチャネルの受信品質を測定する共通チャネル受信品質測定手段と、
個別チャネルにおけるデータ転送チャネルが設定されておらず、個別チャネルにおける制御チャネルでのみ制御情報が送受信されているスタンドアローン通信状態であるか否かを検出するスタンドアローン状態検出手段と、
前記スタンドアローン状態検出手段によって前記スタンドアローン通信状態が検出されている場合に、前記共通チャネル受信品質測定手段によって測定された共通チャネルの受信品質に基づいて、前記基地局における送信電力を変更させる共通チャネル対応送信電力制御を行うスタンドアローン時送信電力制御手段と、を備えることを特徴とする移動端末。
【請求項１０】
所定の通信可能領域を有する基地局と、該通信可能領域に属している場合に前記基地局と通信を行う移動端末とを含み、前記基地局と前記移動端末とは、複数の移動端末に共通して使用される共通チャネルと、移動端末毎に個別に設定される個別チャネルとによって通信を行い、前記移動端末は、個別チャネルにおけるデータ転送チャネルの受信品質に基づいて前記基地局における送信電力を変更させる送信電力制御を行う移動体通信システムにおける移動端末の制御プログラムであって、
前記共通チャネルのうち所定符号が連続送信されるチャネルの受信品質を測定する共通チャネル受信品質測定機能と、
個別チャネルにおけるデータ転送チャネルが設定されておらず、個別チャネルにおける制御チャネルでのみ制御情報が送受信されているスタンドアローン通信状態であるか否かを検出するスタンドアローン状態検出機能と、
前記スタンドアローン状態検出機能によって前記スタンドアローン通信状態が検出されている場合に、前記共通チャネル受信品質測定機能によって測定された共通チャネルの受信品質に基づいて、前記基地局における送信電力を変更させる共通チャネル対応送信電力制御を行うスタンドアローン時送信電力制御機能と、をコンピュータに実現させることを特徴とする制御プログラム。
【請求項１１】
所定の通信可能領域を有する基地局と、該通信可能領域に属している場合に前記基地局と通信を行う移動端末とを含み、前記基地局と前記移動端末とは、複数の移動端末に共通して使用される共通チャネルと、移動端末毎に個別に設定される個別チャネルとによって通信を行い、前記移動端末は、個別チャネルにおけるデータ転送チャネルの受信品質に基づいて前記基地局における送信電力を変更させる送信電力制御を行う移動体通信システムにおける送信電力制御方法であって、
前記移動端末において、
前記共通チャネルのうち所定符号が連続送信されるチャネルの受信品質を測定する共通チャネル受信品質測定ステップと、
個別チャネルにおけるデータ転送チャネルが設定されておらず、個別チャネルにおける制御チャネルでのみ制御情報が送受信されているスタンドアローン通信状態であるか否かを検出するスタンドアローン状態検出ステップと、
前記スタンドアローン状態検出ステップにおいて前記スタンドアローン通信状態が検出されている場合に、前記共通チャネル受信品質測定ステップにおいて測定された共通チャネルの受信品質に基づいて、前記基地局における送信電力を変更させる共通チャネル対応送信電力制御を行うスタンドアローン時送信電力制御ステップと、
前記基地局において、
前記移動端末によって行われる送信電力制御に応じて、該移動端末に対する個別チャネルの送信電力を変更する送信電力変更ステップとを含むことを特徴とする送信電力制御方法。
【発明の詳細な説明】
【技術分野】
【０００１】
本発明は、移動端末に通信サービスを提供する移動体通信システム、移動体通信システムにおける移動端末、その制御プログラムおよび移動体通信システムにおける送信電力制御方法に関する。
【背景技術】
【０００２】
近年、多元接続方式としてＷ−ＣＤＭＡ（Wideband-Code Division Multiple Access）を用いた移動体通信システムが利用されるようになっている。
Ｗ−ＣＤＭＡを用いた移動体通信システム（以下、適宜「Ｗ−ＣＤＭＡ無線システム」という。）においては、通信品質を所定レベルに維持するために、トランスミッションパワーコントロール（送信電力制御）を実施している。
また、各種環境下において、より安定的に通信品質を維持するため、トランスミッションパワーコントロールとして、インナーループコントロールおよびアウターループコントロールからなる２重ループ構造の閉ループトランスミッションパワーコントロールを行う場合がある。
【０００３】
図３は、２重ループ構造の閉ループトランスミッションパワーコントロールの概念を示す模式図である。
図３に示すように、２重ループ構造の閉ループトランスミッションパワーコントロールでは、インナーループコントロールにおいて、移動端末（ＵＥ）における受信無線信号の信号対干渉雑音比（受信ＳＩＲ：Signal to Interference Ratio）が目標とする受信ＳＩＲ（目標ＳＩＲ）と一致するように、対向する基地局に対して送信電力を増減させる指示を行う。また、アウターループコントロールにおいて、移動端末におけるユーザデータの受信ブロック誤り率（受信ＢＬＥＲ：Block Error Rate）が目標とする受信ＢＬＥＲ（目標ＢＬＥＲ）と一致するように、インナーループコントロールにおける目標ＳＩＲを増減させる。
【０００４】
ここで、３ＧＰＰ  ２５．２１２Ａｎｎｅｘ−Ａに規定されているような、ブラインドトランスポートフォーマット検出（Blind transport format detection）を用いるスタンドアローン通信状態（ＳｔａｎｄＡｌｏｎｅ−ＤＣＣＨ状態）においては、ＤＣＣＨのみが設定され、ＤＴＣＨは未設定の状態となる。
具体的には、移動端末において、ＩＤＬＥ状態から発信ボタンが押下されると、基地局との間で行われる接続手順の中で、無線リソース制御（ＲＲＣ：Radio Resource Control）が確立した状態となる。このとき、個別物理チャネルとしては、ＤＣＣＨのみが設定されており、ＤＴＣＨは設定されていない状態である。また、移動端末は、ＤＣＣＨを対象としてブラインドトランスポートフォーマット検出を行っている。
そして、引き続く接続手順の中で、無線ベアラ（ＲＡＢ：Radio Access Bearer）の確立が行われる。
【０００５】
すると、ＤＣＣＨに加えてＤＴＣＨが設定され、接続手順が完了する。
この接続手順において、ＤＣＣＨのみが設定され、ＤＴＣＨが未設定である状態が、上記スタンドアローン通信状態である。
このスタンドアローン通信状態においては、ＣＲＣ（Cyclic Redundancy Check）が送信されないことから、受信信号におけるＢＬＥＲが算出できないこととなる。つまり、移動端末では、常にデータを待ち受け、ＣＲＣの結果がＯＫである場合にデータありと判断し、受信データをデコードするという処理を行っていることから、ＤＴＣＨが設定されていない場合には、ＣＲＣの結果を判定できない状態となる。その結果、ＢＬＥＲの測定も行えないこととなる。
【０００６】
すると、受信ＢＬＥＲと目標ＢＬＥＲとを一致させる上記アウターループコントロールが行えない事態が発生する。
このような事態に対し、スタンドアローン通信状態における目標ＳＩＲの決定方法として、予め定めた特定の目標ＳＩＲ値をＳｔａｎｄＡｌｏｎｅ−ＤＣＣＨ区間で固定的に用いる方法や（特許文献１参照）、制御用個別物理チャネル（ＤＰＣＣＨ）におけるパイロット信号の受信データ誤り率を基に目標ＳＩＲを決定する方法（特許文献２参照）が提案されている。
【特許文献１】特開２００３−３１８８１８号公報
【特許文献２】特開２００４−２７４１１７号公報
【発明の開示】
【発明が解決しようとする課題】
【０００７】
しかしながら、アウターループコントロールにおける目標ＳＩＲとして予め定めた固定値を用いた場合、目標ＳＩＲが変更されないことから、受信品質が低下しているにもかかわらず、一定以上の電力を要求しないこととなり、データの送受信に失敗する事態が発生したり、反対に、受信品質が向上しているにもかかわらず、過剰な送信電力を要求することとなり、消費電力の増大や他の通信への干渉を生じる事態が発生したりする。
また、制御用個別物理チャネルにおけるパイロット信号の受信データ誤り率を基に目標ＳＩＲを決定する場合、制御用個別物理チャネル（ＤＰＣＣＨ）のパイロット信号は離散的に送信されるものであり、情報量が限られるため、設定される目標ＳＩＲが適切な値にならない場合がある。
【０００８】
ここで、アウターループコントロールによるＳｔａｎｄＡｌｏｎｅ−ＤＣＣＨ区間の目標ＳＩＲ更新方法として、制御情報が存在しない場合にも、ＣＲＣのみを付与した信号を基地局から移動端末に送信し、個別チャネルのＢＬＥＲを測定する方法も考えられるが、制御情報が存在しないにもかかわらず信号を送信することで、無用な電力を消費することとなり、また、ＳｔａｎｄＡｌｏｎｅ−ＤＣＣＨの状況下におけるブラインドトランスポートフォーマット検出のＣＲＣチェック回数は、１回のＣＲＣチェックで完了していたところが２倍に増加することとなる。
【０００９】
このように、スタンドアローン通信状態においてブラインドトランスポートフォーマット検出が用いられている場合に、通信状況に応じて適確な送信電力制御を行うことは困難であった。
本発明の課題は、スタンドアローン通信状態においてブラインドトランスポートフォーマット検出が用いられている場合に、通信状況に応じて適確な送信電力制御を行うことである。
【課題を解決するための手段】
【００１０】
以上の課題を解決するため、本発明は、
所定の通信可能領域を有する基地局と、該通信可能領域に属している場合に前記基地局と通信を行う移動端末とを含み、前記基地局と前記移動端末とは、複数の移動端末に共通して使用される共通チャネル（例えば、Ｗ−ＣＤＭＡ無線システムにおけるＣＰＩＣＨ）と、移動端末毎に個別に設定される個別チャネル（例えば、Ｗ−ＣＤＭＡ無線システムにおけるＤＣＨ）とによって通信を行い、前記移動端末は、個別チャネルにおけるデータ転送チャネル（例えば、Ｗ−ＣＤＭＡ無線システムにおけるＤＴＣＨ）の受信品質に基づいて前記基地局における送信電力を変更させる送信電力制御を行う移動体通信システムであって、前記移動端末は、前記共通チャネルのうち所定符号が連続送信されるチャネルの受信品質を測定する共通チャネル受信品質測定手段（例えば、図１の共通チャネル品質測定部２２）と、個別チャネルにおけるデータ転送チャネルが設定されておらず、個別チャネルにおける制御チャネル（例えば、Ｗ−ＣＤＭＡ無線システムにおけるＤＣＣＨ）でのみ制御情報が送受信されているスタンドアローン通信状態であるか否かを検出するスタンドアローン状態検出手段（例えば、図２に示すフローチャートを実行する図１の制御部２４）と、前記スタンドアローン状態検出手段によって前記スタンドアローン通信状態が検出されている場合に、前記共通チャネル受信品質測定手段によって測定された共通チャネルの受信品質に基づいて、前記基地局における送信電力を変更させる共通チャネル対応送信電力制御（例えば、図２の共通チャネル対応送信電力制御）を行うスタンドアローン時送信電力制御手段（例えば、図２に示すフローチャートを実行する図１の制御部２４）とを備え、前記基地局は、前記移動端末によって行われる送信電力制御に応じて、該移動端末に対する個別チャネルの送信電力を変更することを特徴としている。
【００１１】
また、本発明は、
所定の通信可能領域を有する基地局と、該通信可能領域に属している場合に前記基地局と通信を行う移動端末とを含み、前記基地局と前記移動端末とは、複数の移動端末に共通して使用される共通チャネルと、移動端末毎に個別に設定される個別チャネルとによって通信を行い、前記移動端末は、個別チャネルにおけるデータ転送チャネルの受信品質に基づいて前記基地局における送信電力を変更させる送信電力制御を行う移動体通信システムにおける移動端末であって、前記共通チャネルのうち所定符号が連続送信されるチャネルの受信品質を測定する共通チャネル受信品質測定手段と、個別チャネルにおけるデータ転送チャネルが設定されておらず、個別チャネルにおける制御チャネルでのみ制御情報が送受信されているスタンドアローン通信状態であるか否かを検出するスタンドアローン状態検出手段と、前記スタンドアローン状態検出手段によって前記スタンドアローン通信状態が検出されている場合に、前記共通チャネル受信品質測定手段によって測定された共通チャネルの受信品質に基づいて、前記基地局における送信電力を変更させる共通チャネル対応送信電力制御を行うスタンドアローン時送信電力制御手段とを備えることを特徴としている。
【００１２】
また、本発明は、
所定の通信可能領域を有する基地局と、該通信可能領域に属している場合に前記基地局と通信を行う移動端末とを含み、前記基地局と前記移動端末とは、複数の移動端末に共通して使用される共通チャネルと、移動端末毎に個別に設定される個別チャネルとによって通信を行い、前記移動端末は、個別チャネルにおけるデータ転送チャネルの受信品質に基づいて前記基地局における送信電力を変更させる送信電力制御を行う移動体通信システムにおける移動端末の制御プログラムであって、前記共通チャネルのうち所定符号が連続送信されるチャネルの受信品質を測定する共通チャネル受信品質測定機能と、個別チャネルにおけるデータ転送チャネルが設定されておらず、個別チャネルにおける制御チャネルでのみ制御情報が送受信されているスタンドアローン通信状態であるか否かを検出するスタンドアローン状態検出機能と、前記スタンドアローン状態検出機能によって前記スタンドアローン通信状態が検出されている場合に、前記共通チャネル受信品質測定機能によって測定された共通チャネルの受信品質に基づいて、前記基地局における送信電力を変更させる共通チャネル対応送信電力制御を行うスタンドアローン時送信電力制御機能と、をコンピュータに実現させることを特徴としている。
【００１３】
また、本発明は、
所定の通信可能領域を有する基地局と、該通信可能領域に属している場合に前記基地局と通信を行う移動端末とを含み、前記基地局と前記移動端末とは、複数の移動端末に共通して使用される共通チャネルと、移動端末毎に個別に設定される個別チャネルとによって通信を行い、前記移動端末は、個別チャネルにおけるデータ転送チャネルの受信品質に基づいて前記基地局における送信電力を変更させる送信電力制御を行う移動体通信システムにおける送信電力制御方法であって、前記移動端末において、前記共通チャネルのうち所定符号が連続送信されるチャネルの受信品質を測定する共通チャネル受信品質測定ステップと、個別チャネルにおけるデータ転送チャネルが設定されておらず、個別チャネルにおける制御チャネルでのみ制御情報が送受信されているスタンドアローン通信状態であるか否かを検出するスタンドアローン状態検出ステップと、前記スタンドアローン状態検出ステップにおいて前記スタンドアローン通信状態が検出されている場合に、前記共通チャネル受信品質測定ステップにおいて測定された共通チャネルの受信品質に基づいて、前記基地局における送信電力を変更させる共通チャネル対応送信電力制御を行うスタンドアローン時送信電力制御ステップと、前記基地局において、前記移動端末によって行われる送信電力制御に応じて、該移動端末に対する個別チャネルの送信電力を変更する送信電力変更ステップとを含むことを特徴としている。
【００１４】
これらの発明によれば、共通チャネルの受信品質が測定され、スタンドアローン通信状態となった場合に、共通チャネルのうち所定符号が連続送信されるチャネルの受信品質に応じて基地局における送信電力を変更させる共通チャネル対応送信電力制御が行われる。
したがって、スタンドアローン通信状態においてブラインドトランスポートフォーマット検出が用いられている場合にも、移動端末の受信状況に合わせた送信電力制御を行うことができ、通信状況の変化に応じて適確な送信電力制御を行うことが可能となる。
【００１５】
また、前記スタンドアローン状態検出手段は、無線リソース制御が確立した状態であって、無線ベアラが確立されていない場合に、前記スタンドアローン通信状態を検出することを特徴としている。
したがって、無線リソース制御（ＲＲＣ：Radio Resource Control）が確立した後、無線ベアラ（ＲＡＢ：Radio Access Bearer）が確立するまで期間を、スタンドアローン通信状態として確実に検出することができる。
なお、移動端末において、無線ベアラが確立されているか否かは、接続手順において基地局から送信される無線ベアラ設定情報（Radio Bearer Setup信号）を受信したか否かによって判定することができる。
また、前記共通チャネル受信品質測定手段は、前記共通チャネルとして共通パイロットチャネルの受信品質を測定することを特徴としている。
【００１６】
この共通パイロットチャネルは、常に各移動端末にブロードキャスト送信され、移動端末において基地局の時間基準を測定するために用いられるものであり、符号拡散が行われていないことから移動端末において容易に捕捉可能である。そのため、個別チャネルがスタンドアローン通信状態となり、個別チャネルの受信品質を測定できない場合に、恒常的に受信状態を示す基準とできる共通パイロットチャネルを使用して、個別チャネルの受信品質を適確に推定することが可能となる。
【００１７】
また、前記共通チャネル受信品質測定手段は、前記共通チャネルの受信品質として、受信ＲＳＣＰを測定することを特徴としている。
したがって、通常測定されているパラメータを利用して簡単かつ低コストに共通チャネルの受信品質を判定することができる。
また、前記共通チャネル受信品質測定手段は、前記共通チャネルの受信品質として、受信Ｅｃ／Ｎ０を測定することを特徴としている。
したがって、通常算出されているパラメータを利用して簡単かつ低コストに共通チャネルの受信品質を判定することができる。
また、前記共通チャネル受信品質測定手段は、前記共通チャネルの受信品質として、受信誤り率を測定することを特徴としている。
したがって、通常測定されているパラメータを利用して簡単かつ低コストに共通チャネルの受信品質を判定することができる。
【００１８】
また、前記共通チャネル受信品質測定手段は、前記共通チャネルの受信品質として、受信ＳＩＲを測定することを特徴としている。
したがって、送信電力制御において受信品質を判定するために通常用いられるパラメータによって共通チャネルの受信品質を判定することができる。
また、前記スタンドアローン通信状態が検出された際の前記共通チャネル受信品質測定手段による測定結果を記憶する共通チャネル受信品質記憶手段をさらに備え、
前記スタンドアローン時送信電力制御手段は、共通チャネル受信品質記憶手段によって記憶されている測定結果と、前記共通チャネル受信品質測定手段が以後に測定する測定結果とを比較し、その比較結果に基づいて、送信電力制御を行うことを特徴としている。
したがって、通信状況の変化をより適確に反映して送信電力制御を行うことが可能となる。
【発明の効果】
【００１９】
本発明によれば、スタンドアローン通信状態においてブラインドトランスポートフォーマット検出が用いられている場合にも、移動端末の受信状況に合わせた送信電力制御を行うことができ、通信状況の変化に応じて適確な送信電力制御を行うことが可能となる。
【発明を実施するための最良の形態】
【００２０】
以下、図を参照して本発明を適用したＷ−ＣＤＭＡ無線システムの実施の形態を説明する。
図１は、本発明に係るＷ−ＣＤＭＡ無線システム１における基地局および移動端末を示す概略図である。
図１において、Ｗ−ＣＤＭＡ無線システム１には、基地局１０と、移動端末２０とが含まれている。
基地局１０は、Ｗ−ＣＤＭＡを用いた移動体通信システムにおける基地局機能を備えている。
具体的には、基地局１０は、基地局１０の通信可能領域にある移動端末２０とＷ−ＣＤＭＡに基づく通信を確立し、共通パイロットチャネル（ＣＰＩＣＨ）、共通制御物理チャネル（ＣＣＰＣＨ）および個別物理チャネル（ＤＰＣＨ）を含む物理チャネルによって、移動端末２０と通信を行う。
【００２１】
これらのうち、共通パイロットチャネルは、基地局１０のスクランブルコード（ＰＮコード）を連続送信するチャネルであり、このチャネルは、全ての移動端末２０にブロードキャスト送信されている。
共通制御物理チャネルは、報知情報や、ページング信号等の制御情報、あるいは、低レートのユーザデータを送信するチャネルである。
個別物理チャネルは、各移動端末２０に１つずつ割り当てられ、ユーザデータを送受信するチャネルである。また、個別物理チャネルには、トランスポートチャネルにおけるＤＣＨ（Dedicated CHannel）が割り当てられており、さらにＤＣＨには、論理チャネルにおけるＤＣＣＨ（Dedicated Control CHannel）およびＤＴＣＨ（Dedicated Traffic CHannel）が割り当てられている。
【００２２】
そして、基地局１０は、ＤＴＣＨを介して移動端末２０とユーザデータを送受信し、ＤＣＣＨを介して制御情報を送受信する。
移動端末２０は、送受信部２１と、共通チャネル品質測定部２２と、ＢＥＲ（Bit Error Rate）測定部２３と、制御部２４とを備えている。なお、移動端末２０は、ハードウェアとしてＣＰＵ（Central Processing Unit）、メインメモリ、不揮発性の記憶装置および表示装置を備えており、ＣＰＵが不揮発性の記憶装置に記憶されている各種プログラムを読み出して実行することにより、種々の機能を実現する。
【００２３】
送受信部２１は、アンテナを介して受信した無線信号に対し、Ｗ−ＣＤＭＡに基づく周波数変換や復調処理およびデータの分解を行い、その処理結果を制御部２４に出力すると共に、制御部２４から入力された信号に対し、Ｗ−ＣＤＭＡに基づくデータの多重化や変調処理および周波数変換を行い、その処理結果をアンテナを介して送信する。
共通チャネル品質測定部２２は、基地局１０と移動端末２０との通信における共通チャネル（共通パイロットチャネル）の受信品質を測定し、測定結果を制御部２４に出力する。共通パイロットチャネルは、移動端末２０において基地局１０の時間基準を測定するために用いられ、符号拡散が行われていないことから移動端末２０において容易に捕捉可能である。
【００２４】
ここで、共通チャネル品質測定部２２が測定する受信品質としては、例えばＲＳＣＰ（Received Signal Code Power）、受信Ｅｃ／Ｎ０（希望信号対雑音電力比）、受信誤り率（ＢＥＲ）あるいはＳＩＲ等とすることが可能である。
ＢＥＲ測定部２３は、個別物理チャネルのＢＥＲを測定し、測定結果を制御部２４に出力する。
制御部２４は、移動端末２０全体を制御するものであり、ＢＥＲ測定部２３によって入力されたＢＥＲ測定結果を基に個別物理チャネルの受信ＳＩＲを測定し、その測定結果を、非ＳｔａｎｄＡｌｏｎｅ−ＤＣＣＨ状態における送信電力制御（以下、「通常送信電力制御」という。）のために設定されている閾値と比較する。そして、制御部２４は、測定した受信ＳＩＲが閾値を上回っている場合、基地局１０における送信電力を設定されている値だけ低下させる制御情報（ＴＰＣビット）を送信する。また、制御部２４は、測定した受信ＳＩＲが閾値を下回っている場合、基地局１０における送信電力を設定されている値だけ上昇させる制御情報を送信する。
【００２５】
さらに、制御部２４は、個別物理チャネルにおけるＤＴＣＨが設定されておらず、ＤＣＣＨによる制御情報のみが送受信されているＳｔａｎｄＡｌｏｎｅ−ＤＣＣＨ状態（スタンドアローン通信状態）となっているか否かを検出する。このとき、制御部２４は、基地局１０と移動端末２０との接続手順において、無線リソース制御（ＲＲＣ）が確立した状態であって、無線ベアラ（ＲＡＢ）が確立されていない場合に、スタンドアローン通信状態を検出する。無線ベアラが確立されているか否かは、接続手順において基地局１０から移動端末２０に送信される無線ベアラ設定情報（Radio Bearer Setup信号）を受信したか否かによって判定することができる。
なお、ＳｔａｎｄＡｌｏｎｅ−ＤＣＣＨ状態となっている場合、３ＧＰＰ  ２５．２１２Ａｎｎｅｘ−Ａに規定されているようなブラインドトランスポートフォーマット検出が行われることがある。
【００２６】
また、制御部２４は、後述するＳｔａｎｄＡｌｏｎｅ−ＤＣＣＨ状態用の送信電力制御処理を実行し、共通チャネル品質測定部２２によって入力された共通チャネルの受信品質を、共通チャネルの受信品質を用いた送信電力制御のために設定されている閾値（以下、「共通チャネル用閾値」という。）と比較する（以下、ＳｔａｎｄＡｌｏｎｅ−ＤＣＣＨ状態用の送信電力制御処理を「共通チャネル対応送信電力制御」という。）。そして、制御部２４は、共通チャネルの受信品質が共通チャネル用閾値を上回っている場合、基地局１０における送信電力を設定されている値だけ低下させる制御情報（ＴＰＣビット）を送信する。また、制御部２４は、共通チャネルの受信品質が共通チャネル用閾値を下回っている場合、基地局１０における送信電力を設定されている値だけ上昇させる制御情報を送信する。
なお、制御部２４は、ＳｔａｎｄＡｌｏｎｅ−ＤＣＣＨ状態でない場合には、通常送信電力制御による制御情報を基地局１０に送信し、ＳｔａｎｄＡｌｏｎｅ−ＤＣＣＨ状態である場合には、共通チャネル対応送信電力制御による制御情報を基地局１０に送信する。
【００２７】
次に、Ｗ−ＣＤＭＡ無線システム１の動作について説明する。
図２は、制御部２４が実行する共通チャネル対応送信電力制御処理を示すフローチャートである。
共通チャネル対応送信電力制御処理は、制御部２４がＳｔａｎｄＡｌｏｎｅ−ＤＣＣＨ状態を検出することに対応して開始される。
共通チャネル対応送信電力制御処理が開始されると、制御部２４は、目標ＳＩＲの変更が必要であるか否かの判定、即ち、共通チャネル用閾値に対する共通チャネルの受信品質の高さを判定する（ステップＳ１）。
【００２８】
ステップＳ１において、目標ＳＩＲの変更が必要でない（例えば、共通チャネル用閾値に対して共通チャネルの受信品質が一致している）と判定した場合、現在の目標ＳＩＲを維持する（ステップＳ２）。
一方、ステップＳ１において、目標ＳＩＲの変更が必要である（例えば、共通チャネル用閾値より共通チャネルの受信品質が大きいあるいは小さい）と判定した場合、制御部２４は、共通チャネル用閾値と共通チャネルの受信品質との関係に応じて現在の目標ＳＩＲを更新し、目標ＳＩＲを上昇あるいは低下させる（ステップＳ３）。
【００２９】
ステップＳ２およびステップＳ３の後、制御部２４は、ＳｔａｎｄＡｌｏｎｅ−ＤＣＣＨ状態が継続しているか否かの判定を行い（ステップＳ４）、ＳｔａｎｄＡｌｏｎｅ−ＤＣＣＨ状態が継続していると判定した場合、ステップＳ１に移行し、ＳｔａｎｄＡｌｏｎｅ−ＤＣＣＨ状態が継続していないと判定した場合、共通チャネル対応送信電力制御処理を終了する。
このような動作により、ＳｔａｎｄＡｌｏｎｅ−ＤＣＣＨ状態でない場合には、通常送信電力制御処理（個別物理チャネルの受信品質に基づく送信電力制御処理）が行われ、ＳｔａｎｄＡｌｏｎｅ−ＤＣＣＨ状態である場合には、共通チャネル対応送信電力制御処理（共通チャネルの受信品質に基づく送信電力制御処理）が行われる。
【００３０】
以上のように、本実施の形態に係るＷ−ＣＤＭＡ無線システム１は、共通チャネルの受信品質を測定し、ＳｔａｎｄＡｌｏｎｅ−ＤＣＣＨ状態となった場合に、共通チャネルの受信品質に応じて目標ＳＩＲを決定する共通チャネル対応送信電力制御を行う。
したがって、ブラインドトランスポートフォーマット検出が用いられているＳｔａｎｄＡｌｏｎｅ−ＤＣＣＨ状態においても、移動端末２０の受信状況に合わせた目標ＳＩＲを設定することができ、通信状況の変化に応じて適確な送信電力制御を行うことが可能となる。
また、本実施の形態のように共通パイロトチャネルを用いることで、共通パイロットチャネルには符号拡散が行われていないことから、移動端末２０において容易に捕捉可能であるため、受信品質を判定するための適切な基準とすることができる。
【００３１】
（応用例１）
上記実施の形態においては、共通チャネルの受信品質を測定し、各タイミングにおける受信品質に基づいて目標ＳＩＲを決定することとして説明したが、制御部２４にＳｔａｎｄＡｌｏｎｅ−ＤＣＣＨ状態となったとき（即ち、ＤＴＣＨが設定されていない状態となった時点）の共通チャネルの受信品質を記憶する共通チャネル受信品質記憶部を備え、制御部２４が、共通チャネル品質測定部２２によって入力された共通チャネルの受信品質と、共通チャネル受信品質記憶部に記憶された受信品質とを比較することにより、その差分の大きさに応じて目標ＳＩＲを決定することが可能である。
これにより、通信状況の変化をより適確に反映して送信電力制御を行うことができる。
【００３２】
（応用例２）
制御部２４において、共通チャネルの受信品質に基づいて目標ＳＩＲを更新する方法として、ＣＰＩＣＨのＥｃ／Ｎ０、パスロス、および、個別チャネル（ＤＣＨ）の受信ＲＳＣＰ、ＳＦを考慮し、ＤＣＣＨの受信ＳＩＲを推定することによって、目標ＳＩＲとの乖離を判定し、乖離が大きい場合には目標ＳＩＲを変更し、乖離が小さい場合には目標ＳＩＲを維持するものとできる。ＤＣＣＨの受信ＳＩＲを推定する方法としては、論理的に換算する方法や、実験値あるいは経験値に基づいて推定する方法を用いることが可能である。
【００３３】
具体的には、共通チャネルの受信品質を判定する方法として、以下の例のような方法を用いることができる。
Ｔ秒前のＥｃ／Ｎ０に対して個別チャネルの現在のＥｃ／Ｎ０が＋１ｄＢから＋２ｄＢである場合、目標ＳＩＲを−１ｄＢする。
Ｔ秒前のＥｃ／Ｎ０に対して個別チャネルの現在のＥｃ／Ｎ０が−１ｄＢから−２ｄＢである場合、目標ＳＩＲを＋１ｄＢする。
Ｔ秒前のＥｃ／Ｎ０に対して個別チャネルの現在のＥｃ／Ｎ０が−２ｄＢから−３ｄＢである場合、目標ＳＩＲを＋２ｄＢする。
Ｔ秒前のＥｃ／Ｎ０に対して個別チャネルの現在のＥｃ／Ｎ０が−１ｄＢから＋１ｄＢである場合、ＣＰＩＣＨのＥｃ／Ｎ０が−４ｄＢから−８ｄＢであれば、目標ＳＩＲを維持する。
【００３４】
また、以下のような方法とすることができる。
個別チャネルの現在のＥｃ／Ｎ０が−２ｄＢから０ｄＢである場合、目標ＳＩＲを−１ｄＢする。
個別チャネルの現在のＥｃ／Ｎ０が−８ｄＢから−１０ｄＢである場合、目標ＳＩＲを＋１ｄＢする。
個別チャネルの現在のＥｃ／Ｎ０が−１０ｄＢから−１２ｄＢである場合、目標ＳＩＲを＋２ｄＢする。
【００３５】
さらに、以下のような方法とすることができる。
Ｔ秒前のＥｃ／Ｎ０に対して個別チャネルの現在のＥｃ／Ｎ０が＋１ｄＢから＋２ｄＢかつＴ秒前のパスロスに対して現在のパスロスが−１ｄＢから−３ｄＢである場合、目標ＳＩＲを−１ｄＢする。
Ｔ秒前のＥｃ／Ｎ０に対して個別チャネルの現在のＥｃ／Ｎ０が−１ｄＢから−２ｄＢかつＴ秒前のパスロスに対して現在のパスロスが＋１ｄＢから＋３ｄＢである場合、目標ＳＩＲを＋１ｄＢする。
Ｔ秒前のＥｃ／Ｎ０に対して個別チャネルの現在のＥｃ／Ｎ０が−２ｄＢから−３ｄＢかつＴ秒前のパスロスに対して現在のパスロスが＋３ｄＢから＋６ｄＢである場合、目標ＳＩＲを＋２ｄＢする。
【図面の簡単な説明】
【００３６】
【図１】本発明に係るＷ−ＣＤＭＡ無線システム１における基地局および移動端末を示す概略図である。
【図２】制御部２４が実行するＳｔａｎｄＡｌｏｎｅ−ＤＣＣＨ状態用の送信電力制御処理を示すフローチャートである。
【図３】２重ループ構造の閉ループトランスミッションパワーコントロールの概念を示す模式図である。
【符号の説明】
【００３７】
１  Ｗ−ＣＤＭＡ無線システム、１０  基地局、２０  移動端末、２１  送受信部、２２  共通チャネル品質測定部、２３  ＢＥＲ測定部、２４  制御部
【図１】
2008172764.tif 000003
【図２】
2008172764.tif 000004
【図３】
2008172764.tif 000005